【手続補正書】
【提出日】平成20年11月27日(2008.11.27)
【手続補正１】
【補正対象書類名】特許請求の範囲
【補正対象項目名】全文
【補正方法】変更
【補正の内容】
【特許請求の範囲】
【請求項１】
印字ヘッドモジュールであって、
１つ以上のポンピングチャンバを含む印字ヘッド本体であって、各ポンピングチャンバは、印刷液供給源から印刷液を受け取るように構成された受取り端部と、該ポンピングチャンバから該印刷液を噴射する噴射端部とを含む、印字ヘッド本体と、
ノズルプレートであって、該ノズルプレートは、該ノズルプレートを貫通して形成された１つ以上のノズルを含み、ノズルは、各ポンピングチャンバと流体的に連絡しており、該ノズルからの噴射のための該ポンピングチャンバの噴射端部から印刷液を受け取り、該ノズルプレートは、低減された厚さの１つ以上の領域を含んでおり、そのような領域の各々の内面は、該１つ以上のポンピングチャンバの各々の内面を形成する、ノズルプレートと、
該ノズルプレートと接続された１つ以上の圧電アチュエータであって、該圧電アチュエータは、各ポンピングチャンバ上に配置され、該ポンピングチャンバを歪めて加圧することにより、該ポンピングチャンバの噴射端部と流体的に連絡している対応するノズルから印刷液を噴射させるように構成された圧電物質を含み、該圧電物質は、第１の電極と第２の電極との間に配置されており、該第１の電極は、該圧電材料と該ノズルプレートの低減された厚さの領域のうちの１つの外面との間に配置されている、圧電アチュエータと
を含む、印字ヘッドモジュール。
【請求項２】
印刷液供給源アセンブリであって、該印刷液供給源アセンブリは、前記ポンピングチャンバの受取り端部と流体的に連絡しているタンクを含む、印刷液供給源アセンブリをさらに含み、
前記印字ヘッド本体は、前記ノズルプレートと接続するノズル面と実質的に平行である裏面を含み、
該印刷液供給源アセンブリは、該印字ヘッド本体の裏面に接続され、
該ポンピングチャンバの受取り端部は、該タンクと流体的に連絡している該印字ヘッド本体の裏面上の開口部を含む、請求項１に記載の印字ヘッドモジュール。
【請求項３】
前記印字ヘッドモジュールは、複数のポンピングチャンバを含み、該印字ヘッドモジュールは、
前記印字ヘッド本体の裏面に形成された少なくとも１つの印刷液チャネルであって、該少なくとも１つの印刷液チャネルは、複数のポンピングチャンバの開口部および前記タンクと流体的に連絡しており、印刷液は、該タンクから該少なくとも１つの印刷液チャネルに入り、該複数のポンピングチャンバの開口部へと向けられる、少なくとも１つの印刷液チャネル
をさらに含む、請求項２に記載の印字ヘッドモジュール。
【請求項４】
前記少なくとも１つの印刷液チャネルは、前記複数のポンピングチャンバの前記開口部に傾けられた少なくとも２つの側面を含む、請求項３に記載の印字ヘッドモジュール。
【請求項５】
ノズル面および該ノズル側面と実質的に平行かつ反対に存在する裏面とを有する印字ヘッドモジュールを含む印字ヘッドシステムであって、該印字ヘッドモジュールは、
１つ以上のポンピングチャンバを含む印字ヘッド本体であって、各ポンピングチャンバは、印刷液供給源から印刷液を受け取るように構成された受取り端部と、該ポンピングチャンバから該印刷液を噴射させるための噴射端部とを含む、印字ヘッド本体と、
ノズルプレートを貫通して形成された１つ以上のノズルを含む該ノズルプレートであって、該ノズルは、各ポンピングチャンバと流体的に連絡しており、該ノズルからの噴射のための該ポンピングチャンバの噴射端部から印刷液を受け取り、該ノズルプレートは、低減された厚さの１つ以上の領域を含んでおり、そのような領域の各々の内面は、該１つ以上のポンピングチャンバの各々の内面を形成する、ノズルプレートと、
該ノズルプレートと接続された１つ以上の圧電アチュエータであって、該圧電アチュエータは、各ポンピングチャンバ上に配置され、該ポンピングチャンバを歪めて加圧することにより、該ポンピングチャンバの噴射端部と流体的に連絡している対応するノズルから印刷液を噴射させるように構成された圧電物質を含み、該圧電物質は、第１の電極と第２の電極との間に配置されており、該第１の電極は、該圧電材料と該ノズルプレートの低減された厚さの領域のうちの１つの外面との間に配置されている、圧電アチュエータと、
該１つ以上の対応するノズルを噴射させる該印字ヘッドモジュールの該ノズル面と接続され、該１つ以上のポンピングチャンバを選択的に加圧するように該１つ以上の圧電アチュエータに信号を供給して該１つ以上の圧電アチュエータと電気的に結合されたフレキシブル回路と
を含む、印字ヘッドシステム。
【請求項６】
印字ヘッドモジュールとキャップとを含む印字ヘッドシステムであって、
該印字ヘッドモジュールは、１つ以上のポンピングチャンバを含む印字ヘッド本体であって、各ポンピングチャンバは、印刷液供給源から印刷液を受け取るように構成された受取り端部と、該ポンピングチャンバから該印刷液を噴射させるための噴射端部とを含む、印字ヘッド本体と、
ノズルプレートであって、該ノズルプレートは、該ノズルプレートを貫通して形成された１つ以上のノズルを含み、該ノズルは、各ポンピングチャンバと流体的に連絡しており、該ノズルから噴射のための該ポンピングチャンバの噴射端部から印刷液を受け取り、該ノズルプレートは、低減された厚さの１つ以上の領域を含んでおり、そのような領域の各々の内面は、該１つ以上のポンピングチャンバの各々の内面を形成する、ノズルプレートと、
該ノズルプレートに接続された１つ以上の圧電アチュエータであって、該圧電アチュエータは、各ポンピングチャンバ上に配置され、該ポンピングチャンバを歪めて加圧することにより、該ポンピングチャンバの噴射端部と流体的に連絡している対応するノズルから印刷液を噴射させるように構成された圧電物質を含み、該圧電物質は、第１の電極と第２の電極との間に配置されており、該第１の電極は、該圧電材料と該ノズルプレートの低減された厚さの領域のうちの１つの外面との間に配置されている、圧電アチュエータとを含み、
該キャップは、該ノズルプレートに取り付けられ、該ノズルプレートを貫通して形成された該１つ以上のノズルに接続する１つ以上のアパーチャを含み、該キャップは、該キャップが、作動したときに、該１つ以上の圧電アチュエータに含まれる圧電物質が歪むのに十分な間隙を提供しながら、該１つ以上の圧電アチュエータをカバーするように構成されている、印字ヘッドシステム。
【請求項７】
前記キャップは、該キャップの外面と前記１つ以上の圧電アチュエータとを結合させる電気的伝導層でコーティングされた１つ以上のビアをさらに含み、前記印字ヘッドシステムは、
前記印字ヘッドモジュールのキャップの外面と接続され、前記１つ以上のポンピングチャンバを選択的に加圧するように該１つ以上の圧電アチュエータに信号を供給して、前記１つ以上の対応するノズルを噴射させるように、該１つ以上のビアによって該１つ以上の圧電アチュエータに電気的に結合されたフレキシブル回路
を含む、請求項６に記載の印字ヘッドシステム。
【請求項８】
前記印字ヘッドモジュールは、印刷液供給源アセンブリをさらに含み、該印刷液供給源アセンブリは、前記ポンピングチャンバの受取り端部と流体的に連絡しているタンクを含み、
前記印字ヘッド本体は、前記ノズルプレートと接続するノズル面と実質的に平行である裏面を含み、
該印刷液供給源アセンブリは、該印字ヘッド本体の該裏面と接続され、
該ポンピングチャンバの受取り端部は、該タンクと流体的に連絡している該印字ヘッド本体の裏面上の開口部を含む、請求項６に記載の印字ヘッドシステム。
【請求項９】
前記印字ヘッドモジュールは、複数のポンピングチャンバを含み、該印字ヘッドモジュールは、
前記印字ヘッド本体の裏面に形成された少なくとも１つの印刷液チャネルであって、該少なくとも１つの印刷液チャネルは、複数のポンピングチャンバの開口部および前記タンクと流体的に連絡しており、印刷液は、該タンクから該少なくとも１つの印刷液チャネルに入り、該複数のポンピングチャンバの開口部に向けられる、少なくとも１つの印刷液チャネル
をさらに含む、請求項８に記載の印字ヘッドシステム。
【請求項１０】
前記少なくとも１つの印刷液チャネルは、前記複数のポンピングチャンバの開口部に傾けられた少なくとも２つの側面を含む、請求項９に記載の印字ヘッドシステム。
【請求項１１】
印字ヘッドモジュールとキャップとフレキシブル回路とを含む印字ヘッドシステムであって、
該印字ヘッドモジュールは、１つ以上のポンピングチャンバを含む印字ヘッド本体であって、各ポンピングチャンバは、印刷液供給源から印刷液を受け取るように構成された受取り端部と、該ポンピングチャンバから該印刷液を噴射させるための噴射端部とを含む、印字ヘッド本体と、
ノズルプレートであって、該ノズルプレートは、該ノズルプレートを貫通して形成された１つ以上のノズルを含み、該ノズルは、各ポンピングチャンバと流体的に連絡しており、該ノズルから噴射のための該ポンピングチャンバの噴射端部から印刷液を受け取る、ノズルプレートと、
該ノズルプレートに接続された１つ以上の圧電アチュエータであって、該１つ以上の圧電アチュエータは、各ポンピングチャンバ上に配置され、該ポンピングチャンバを歪めて加圧することにより、該ポンピングチャンバの噴射端部と流体的に連絡している対応するノズルから印刷液を噴射させるように構成された圧電物質を含む、１つ以上の圧電アチュエータとを含み、
該キャップは、該ノズルプレートに取り付けられ、該ノズルプレートを貫通して形成された該１つ以上のノズルに接続する１つ以上のアパーチャを含み、該キャップは、該キャップが、作動したときに、該１つ以上の圧電アチュエータに含まれる圧電物質が歪むのに十分な間隙を提供しながら、該１つ以上の圧電アチュエータをカバーするように構成されており、該キャップは、該キャップの外面と該１つ以上の圧電アチュエータとを結合させる電気的伝導層でコーティングされた１つ以上のビアをさらに含み、
該フレキシブル回路は、該印字ヘッドモジュールのキャップの外面と接続され、該１つ以上のポンピングチャンバを選択的に加圧するように該１つ以上の圧電アチュエータに信号を供給して、該１つ以上の対応するノズルを噴射させるように、該１つ以上のビアによって該１つ以上の圧電アチュエータと電気的に結合されている、印字ヘッドシステム。